(57)【要約】 【課題】  消費電力を十分に低減することができる撮影装置およびバックライト点灯制御方法を提供する。【解決手段】  被写体をＣＣＤ１１４上に結像して画像信号を生成するデジタルカメラ１において、ＣＣＤ１１４からの画像信号に基づく画像を表示する、バックライト１３ａ付きの液晶モニタ１３と、指が触れたことを検出するタッチセンサを備えたレリーズボタン１２と、そのタッチセンサによりレリーズボタン１２に指が触れたか否かに応じて、それぞれ、バックライト１３ａを点灯あるいは消灯する点灯制御手段１３０とを備えた。【選択図】  図４
2008227925.tif 000002
【特許請求の範囲】
【請求項１】
被写体を撮像素子上に結像して画像信号を生成する撮影装置において、
画像信号に基づく画像を表示する、バックライト付きの表示画面と、
押下により撮影を指示するレリーズボタンと、
前記レリーズボタンに指が触れたことを検出するタッチセンサと、
前記タッチセンサにより前記レリーズボタンに指が触れたか否かに応じて、それぞれ、前記表示画面のバックライトを点灯あるいは消灯する点灯制御手段とを備えたことを特徴とする撮影装置。
【請求項２】
被写体を撮像素子上に結像して画像信号を生成する撮影装置において、
画像信号に基づく画像を表示する、バックライト付きの表示画面と、
当該撮影装置が静止しているか否かを検出する角速度センサと、
前記角速度センサにより当該撮影装置が静止していることが検出されたか否かに応じて、それぞれ、前記表示画面のバックライトを点灯あるいは消灯する点灯制御手段とを備えたことを特徴とする撮影装置。
【請求項３】
被写体を撮像素子上に結像して画像信号を生成する撮影装置において、
画像信号に基づく画像を表示する、バックライト付きの表示画面と、
前記撮像素子で得られた画像信号に基づいて被写体中の顔を検出する顔検出手段と、
前記顔検出手段により顔が検出されたか否かに応じて、それぞれ、前記表示画面のバックライトを点灯あるいは消灯する点灯制御手段とを備えたことを特徴とする撮影装置。
【請求項４】
被写体を撮像素子上に結像して画像信号を生成する撮影装置において、
画像信号に基づく画像を表示する、バックライト付きの表示画面と、
被写体の明るさに相関のある量を算出する明るさ算出手段と、
前記明るさ算出手段により被写体が所定以上の明るさを有する量が算出されたか否かに応じて、それぞれ、前記表示画面のバックライトを点灯あるいは消灯する点灯制御手段とを備えたことを特徴とする撮影装置。
【請求項５】
被写体を撮像素子上に結像して画像信号を生成する撮影装置において、
画像信号に基づく画像を表示する、バックライト付きの表示画面と、
撮影を行なう際のシャッタスピードを算出するシャッタスピード算出手段と、
前記シャッタスピード算出手段により所定以上に速いシャッタスピードが算出されたか否かに応じて、それぞれ、前記表示画面のバックライトを点灯あるいは消灯する点灯制御手段とを備えたことを特徴とする撮影装置。
【請求項６】
被写体を撮像素子上に結像して画像信号を生成する撮影装置において、
画像信号に基づく画像を表示する、バックライト付きの表示画面を備えるとともに、
押下により撮影を指示するレリーズボタンと該レリーズボタンに指が触れたことが検出されたことを検出するタッチセンサとを備え、該タッチセンサにより該レリーズボタンに指が触れたこと、
当該撮影装置が静止しているか否かを検出する角速度センサを備え、該角速度センサにより当該撮影装置が静止していることが検出されたこと、
前記撮像素子で得られた画像信号に基づいて被写体中の顔を検出する顔検出手段を備え、該顔検出手段により顔が検出されたこと、
被写体の明るさに相関のある量を算出する明るさ算出手段を備え、該明るさ算出手段により被写体が所定以上の明るさを有する量が算出されたこと、および
撮影を行なう際のシャッタスピードを算出するシャッタスピード算出手段を備え、該シャッタスピード算出手段により所定以上に速いシャッタスピードが算出されたこと、
の各条件の中から複数の条件を選択したときの該複数の条件のうちのいずれか１つの条件を満足したときに前記表示画面のバックライトを点灯し、該複数の条件のうちのいずれの１つも満足しないときに該バックライトを消灯する点灯制御手段を備えたことを特徴とする撮影装置。
【請求項７】
被写体の結像を受けて画像信号を生成する撮像素子と、画像信号に基づく画像を表示する、バックライト付きの表示画面とを備えた撮影装置における該バックライト点灯制御方法であって、
当該撮影装置が、さらに、押下により撮影を指示するレリーズボタンと、前記レリーズボタンに指が触れたことが検出されたことを検出するタッチセンサとを備えたものであり、
前記タッチセンサにより前記レリーズボタンに指が触れたか否かに応じて、それぞれ、前記表示画面のバックライトを点灯あるいは消灯することを特徴とするバックライト点灯制御方法。
【請求項８】
被写体の結像を受けて画像信号を生成する撮像素子と、画像信号に基づく画像を表示する、バックライト付きの表示画面とを備えた撮影装置における該バックライト点灯制御方法であって、
当該撮影装置が、さらに、当該撮影装置が静止しているか否かを検出する角速度センサを備えたものであり、
前記角速度センサにより当該撮影装置が静止していることが検出されたか否かに応じて、それぞれ、前記表示画面のバックライトを点灯あるいは消灯することを特徴とするバックライト点灯制御方法。
【請求項９】
被写体の結像を受けて画像信号を生成する撮像素子と、画像信号に基づく画像を表示する、バックライト付きの表示画面とを備えた撮影装置における該バックライト点灯制御方法であって、
当該撮影装置が、さらに、前記撮像素子で得られた画像信号に基づいて被写体中の顔を検出する顔検出手段を備えたものであり、
前記顔検出手段により顔が検出されたか否かに応じて、それぞれ、前記表示画面のバックライトを点灯あるいは消灯することを特徴とするバックライト点灯制御方法。
【請求項１０】
被写体の結像を受けて画像信号を生成する撮像素子と、画像信号に基づく画像を表示する、バックライト付きの表示画面とを備えた撮影装置における該バックライト点灯制御方法であって、
当該撮影装置が、さらに、被写体の明るさに相関のある量を算出する明るさ算出手段を備えたものであり、
前記明るさ算出手段により被写体が所定以上の明るさを有する量が算出されたか否かに応じて、それぞれ、前記表示画面のバックライトを点灯あるいは消灯することを特徴とするバックライト点灯制御方法。
【請求項１１】
被写体の結像を受けて画像信号を生成する撮像素子と、画像信号に基づく画像を表示する、バックライト付きの表示画面とを備えた撮影装置における該バックライト点灯制御方法であって、
当該撮影装置が、さらに、撮影を行なう際のシャッタスピードを算出するシャッタスピード算出手段を備えたものであり、
前記シャッタスピード算出手段により所定以上に速いシャッタスピードが算出されたか否かに応じて、それぞれ、前記表示画面のバックライトを点灯あるいは消灯することを特徴とするバックライト点灯制御方法。
【請求項１２】
被写体の結像を受けて画像信号を生成する撮像素子と、画像信号に基づく画像を表示する、バックライト付きの表示画面とを備えた撮影装置における該バックライト点灯制御方法であって、
当該撮影装置が、押下により撮影を指示するレリーズボタンと該レリーズボタンに指が触れたことが検出されたことを検出するタッチセンサとを備え、該タッチセンサにより該レリーズボタンに指が触れたこと、
当該撮影装置が、当該撮影装置が静止しているか否かを検出する角速度センサを備え、該角速度センサにより当該撮影装置が静止していることが検出されたこと、
当該撮影装置が、前記撮像素子で得られた画像信号に基づいて被写体中の顔を検出する顔検出手段を備え、該顔検出手段により顔が検出されたこと、
当該撮影装置が、被写体の明るさに相関のある量を算出する明るさ算出手段を備え、該明るさ算出手段により被写体が所定以上の明るさを有する量が算出されたこと、
当該撮影装置が、撮影を行なう際のシャッタスピードを算出するシャッタスピード算出手段を備え、該シャッタスピード算出手段により所定以上に速いシャッタスピードが算出されたこと、
の各条件の中から複数の条件を選択したときの該複数の条件のうちのいずれか１つの条件を満足したときに前記表示画面のバックライトを点灯し、該複数の条件のうちのいずれの１つも満足しないときに該バックライトを消灯することを特徴とするバックライト点灯制御方法。
【発明の詳細な説明】
【技術分野】
【０００１】
本発明は、被写体を撮像素子上に結像して画像信号を生成する撮影装置、および撮影装置におけるバックライト点灯制御方法に関する。
【背景技術】
【０００２】
一般に、撮影装置の１つであるデジタルカメラには、リアルタイムに撮影している画像（スルー画像）や記録媒体に記録された画像等を表示する液晶モニタが備えられている。液晶モニタとしては、透過型の液晶パネルを用いたものが多く採用されている。このような液晶モニタには、液晶パネルの背面側にバックライトが配備されている。バックライトは、液晶パネルの背面側から照明光を発光するため、消費電力が大きく、従ってデジタルカメラで使用される電池（一次電池あるいは二次電池）の使用時間は短く、その電池を使用して撮影することのできる撮影枚数が少ないという問題や、その電池を頻繁に交換（あるいは充電）する必要があるという問題を抱えている。
【０００３】
そこで、特許文献１に、カメラのグリップ部にタッチセンサを設け、このタッチセンサによりカメラの把持が検出されなくなってから所定時間経過後に液晶モニタへの電力の供給を遮断して無駄な電力消費を防止する技術が提案されている。
【特許文献１】特開平１０−３１９４９０号公報
【発明の開示】
【発明が解決しようとする課題】
【０００４】
しかし、特許文献１に提案された技術では、カメラの把持が検出されなくなってから所定時間経過後に液晶モニタへの電力の供給は遮断されるものの、所定時間が経過するまでの間は液晶モニタには電力が供給され続けており、従って消費電力の低減に欠けるという問題がある。また、例えば、このカメラを使用して撮影が行なわれていない場合であって、このカメラのグリップ部を握ったまま他の撮影場所に移動するような場合も、やはり液晶モニタには電力が供給され続けてしまうため、消費電力の低減に欠けるという問題がある。
【０００５】
近年、デジタルカメラに代表される撮影装置の益々の多機能化に伴い、撮影装置を制御するための回路規模も増大し、従って撮影装置で消費される電力も益々増大する傾向にある。このため、撮影装置における消費電力の低減化は重要な課題の１つである。
【０００６】
本発明は、上記事情に鑑み、消費電力を十分に低減することができる撮影装置およびバックライト点灯制御方法を提供することを目的とする。
【課題を解決するための手段】
【０００７】
上記目的を達成する本発明の撮影装置のうちの第１の撮影装置は、被写体を撮像素子上に結像して画像信号を生成する撮影装置において、
画像信号に基づく画像を表示する、バックライト付きの表示画面と、
押下により撮影を指示するレリーズボタンと、
上記レリーズボタンに指が触れたことを検出するタッチセンサと、
上記タッチセンサにより上記レリーズボタンに指が触れたか否かに応じて、それぞれ、前記表示画面のバックライトを点灯あるいは消灯する点灯制御手段とを備えたことを特徴とする。
【０００８】
撮影装置を使用して撮影を行なう場合、ユーザは撮影を行なおうとする時点で表示画面に表示されている画像を見る場合が多く、撮影終了に画像を見続けるような場合は少ない。従って、撮影にあたり画像を見る時間は僅かである場合が多い。本発明の第１の撮影装置は、この点に着目して考案されたものである。
【０００９】
本発明の第１の撮影装置は、タッチセンサによりレリーズボタンに指が触れていないことが検出された場合はバックライトを消灯した状態に制御するため、消費電力を低減することができる。一方、タッチセンサによりレリーズボタンに指が触れたことが検出された場合は、ユーザが撮影状態に入っている可能性が高いため、バックライトを点灯するように制御する。このように制御することにより、上述した特許文献１に提案された、所定時間が経過するまでの間は液晶モニタに電力が供給され続けたり、あるいは撮影が行なわれていない場合であってもカメラのグリップ部を握っている状態では液晶モニタに電力が供給されてしまう技術と比較し、消費電力を十分に低減することができる。
【００１０】
また、上記目的を達成する本発明の撮影装置のうちの第２の撮影装置は、被写体を撮像素子上に結像して画像信号を生成する撮影装置において、
画像信号に基づく画像を表示する、バックライト付きの表示画面と、
当該撮影装置が静止しているか否かを検出する角速度センサと、
上記角速度センサにより当該撮影装置が静止していることが検出されたか否かに応じて、それぞれ、上記表示画面のバックライトを点灯あるいは消灯する点灯制御手段とを備えたことを特徴とする。
【００１１】
撮影装置で撮影を行なう場合、ユーザは撮影装置を静止した状態にして撮影を行なう場面が多い。本発明の第２の撮影装置は、この点に着目して考案されたものである。
【００１２】
本発明の第２の撮影装置は、角速度センサにより当該撮影装置が静止していないことが検出された場合はバックライトを消灯した状態に制御するため、消費電力を低減することができる。一方、角速度センサにより当該撮影装置が静止していることが検出された場合は、ユーザが撮影状態に入っている可能性が高いため、バックライトを点灯するように制御する。このように制御することにより、消費電力を十分に低減することができる。
【００１３】
さらに、上記目的を達成する本発明の撮影装置のうちの第３の撮影装置は、被写体を撮像素子上に結像して画像信号を生成する撮影装置において、
画像信号に基づく画像を表示する、バックライト付きの表示画面と、
上記撮像素子で得られた画像信号に基づいて被写体中の顔を検出する顔検出手段と、
上記顔検出手段により顔が検出されたか否かに応じて、それぞれ、上記表示画面のバックライトを点灯あるいは消灯する点灯制御手段とを備えたことを特徴とする。
【００１４】
撮影装置で被写体の撮影を行なうにあたり、被写体中の顔が検出された場合はユーザが撮影状態に入っている可能性が高い。本発明の第３の撮影装置は、この点に着目して考案されたものである。
【００１５】
本発明の第３の撮影装置は、顔検出手段で顔が検出されない場合はバックライトを消灯した状態に制御するため、消費電力を低減することができる。一方、顔が検出された場合は、ユーザが撮影状態に入っている可能性が高いため、バックライトを点灯するように制御する。このように制御することにより、消費電力を十分に低減することができる。
【００１６】
また、上記目的を達成する本発明の撮影装置のうちの第４の撮影装置は、被写体を撮像素子上に結像して画像信号を生成する撮影装置において、
画像信号に基づく画像を表示する、バックライト付きの表示画面と、
被写体の明るさに相関のある量を算出する明るさ算出手段と、
上記明るさ算出手段により被写体が所定以上の明るさを有する量が算出されたか否かに応じて、それぞれ、上記表示画面のバックライトを点灯あるいは消灯する点灯制御手段とを備えたことを特徴とする。
【００１７】
撮影を行なっていない場合は、被写体として意味を成さない明るさの量（所定未満の明るさを有する量）である場合が多い。一方、被写体が所定以上の明るさを有する量である場合は、ユーザが撮影状態に入っている可能性が高い。本発明の第４の撮影装置は、被写体が所定未満の明るさを有する量である場合はバックライトを消灯した状態に制御するため、消費電力を低減することができる。一方、被写体が所定以上の明るさを有する量である場合は撮影状態に入っている可能性が高いため、バックライトを点灯するように制御する。このように制御することにより、消費電力を十分に低減することができる。
【００１８】
さらに、上記目的を達成する本発明の撮影装置のうちの第５の撮影装置は、被写体を撮像素子上に結像して画像信号を生成する撮影装置において、
画像信号に基づく画像を表示する、バックライト付きの表示画面と、
撮影を行なう際のシャッタスピードを算出するシャッタスピード算出手段と、
上記シャッタスピード算出手段により所定以上に速いシャッタスピードが算出されたか否かに応じて、それぞれ、上記表示画面のバックライトを点灯あるいは消灯する点灯制御手段とを備えたことを特徴とする。
【００１９】
被写界輝度が暗い場合は、バックライトを点灯しても表示画面に表示されるスルー画像を視認することは困難である。このような場合は、所定未満の速さのシャッタスピードが算出される。本発明の第５の撮影装置は、所定未満の速さのシャッタスピードが算出される場合はバックライトを消灯した状態に制御するため、消費電力を低減することができる。一方、所定以上に速いシャッタスピードが算出された場合は被写界輝度は明るいため、バックライトを点灯するように制御する。このように制御することにより、消費電力を十分に低減することができる。また、本発明の第５の撮影装置では、所定未満の速さのシャッタスピードで撮影が行なわれる場合はバックライトは消灯した状態にあるため、手ぶれが発生し易いことをユーザに分からせるという効果もある。
【００２０】
また、上記目的を達成する本発明の撮影装置のうちの第６の撮影装置は、被写体を撮像素子上に結像して画像信号を生成する撮影装置において、
画像信号に基づく画像を表示する、バックライト付きの表示画面を備えるとともに、
押下により撮影を指示するレリーズボタンと該レリーズボタンに指が触れたことが検出されたことを検出するタッチセンサとを備え、該タッチセンサにより該レリーズボタンに指が触れたこと、
当該撮影装置が静止しているか否かを検出する角速度センサを備え、この角速度センサにより当該撮影装置が静止していることが検出されたこと、
上記撮像素子で得られた画像信号に基づいて被写体中の顔を検出する顔検出手段を備え、該顔検出手段により顔が検出されたこと、
被写体の明るさに相関のある量を算出する明るさ算出手段を備え、この明るさ算出手段により被写体が所定以上の明るさを有する量が算出されたこと、および
撮影を行なう際のシャッタスピードを算出するシャッタスピード算出手段を備え、このシャッタスピード算出手段により所定以上に速いシャッタスピードが算出されたこと、
の各条件の中から複数の条件を選択したときの該複数の条件のうちのいずれか１つの条件を満足したときに上記表示画面のバックライトを点灯し、それら複数の条件のうちのいずれの１つも満足しないときにこのバックライトを消灯する点灯制御手段を備えたことを特徴とする。
【００２１】
本発明の第６の撮影装置は、上記構成のため、例えば、当該撮影装置が静止している条件と顔が検出された条件との２つの条件を選択した場合、２つの条件のうちのいずれの１つも満足しないときにはバックライトを消灯した状態に制御する。このため、消費電力を十分に低減することができる。一方、上記２つの条件のうちいずれか１つの条件を満足したときにはバックライトを点灯するように制御する。これにより、当該撮影装置が静止している場合は表示画面上に風景等のスルー画像を表示させたり、顔が検出された場合は表示画面上に顔を表わす画像を表示させることができる。
【００２２】
また、上記目的を達成する本発明のバックライト点灯制御方法のうちの第１のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、さらに、押下により撮影を指示するレリーズボタンと、上記レリーズボタンに指が触れたことが検出されたことを検出するタッチセンサとを備えたものであり、
上記タッチセンサにより上記レリーズボタンに指が触れたか否かに応じて、それぞれ、上記表示画面のバックライトを点灯あるいは消灯することを特徴とする。
【００２３】
本発明の第１のバックライト点灯制御方法は、タッチセンサによりレリーズボタンに指が触れていないことが検出された場合はバックライトを消灯した状態に制御する方法であるため、消費電力を低減することができる。一方、タッチセンサによりレリーズボタンに指が触れたことが検出された場合は、ユーザが撮影状態に入っている可能性が高いため、バックライトを点灯するように制御する。このように制御する方法であるため、上述した特許文献１に提案された、所定時間が経過するまでの間は液晶モニタに電力が供給され続けたり、あるいは撮影が行なわれていない場合であってもカメラのグリップ部を握っている状態では液晶モニタに電力が供給されてしまう技術と比較し、消費電力を十分に低減することができる。
【００２４】
また、上記目的を達成する本発明のバックライト点灯制御方法のうちの第２のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、さらに、当該撮影装置が静止しているか否かを検出する角速度センサを備えたものであり、
上記角速度センサにより当該撮影装置が静止していることが検出されたか否かに応じて、それぞれ、上記表示画面のバックライトを点灯あるいは消灯することを特徴とする。
【００２５】
本発明の第２のバックライト点灯制御方法は、角速度センサにより当該撮影装置が静止していないことが検出された場合はバックライトを消灯した状態に制御する方法であるため、消費電力を低減することができる。一方、角速度センサにより当該撮影装置が静止していることが検出された場合は、ユーザが撮影状態に入っている可能性が高いため、バックライトを点灯するように制御する。このように制御する方法であるため、消費電力を十分に低減することができる。
【００２６】
さらに、上記目的を達成する本発明のバックライト点灯制御方法のうちの第３のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、さらに、上記撮像素子で得られた画像信号に基づいて被写体中の顔を検出する顔検出手段を備えたものであり、
上記顔検出手段により顔が検出されたか否かに応じて、それぞれ、上記表示画面のバックライトを点灯あるいは消灯することを特徴とする。
【００２７】
本発明の第３のバックライト点灯制御方法は、顔が検出されない場合はバックライトを消灯した状態に制御する方法であるため、消費電力を低減することができる。一方、顔が検出された場合は、ユーザが撮影状態に入っている可能性が高いため、バックライトを点灯するように制御する。このように制御する方法であるため、消費電力を十分に低減することができる。
【００２８】
また、上記目的を達成する本発明のバックライト点灯制御方法のうちの第４のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、さらに、被写体の明るさに相関のある量を算出する明るさ算出手段を備えたものであり、
上記明るさ算出手段により被写体が所定以上の明るさを有する量が算出されたか否かに応じて、それぞれ、上記表示画面のバックライトを点灯あるいは消灯することを特徴とする。
【００２９】
本発明の第４のバックライト点灯制御方法は、被写体が所定未満の明るさを有する量である場合はバックライトを消灯した状態に制御する方法であるため、消費電力を低減することができる。一方、被写体が所定以上の明るさを有する量である場合は撮影状態に入っている可能性が高いため、バックライトを点灯するように制御する。このように制御する方法であるため、消費電力を十分に低減することができる。
【００３０】
さらに、上記目的を達成する本発明のバックライト点灯制御方法のうちの第５のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、さらに、撮影を行なう際のシャッタスピードを算出するシャッタスピード算出手段を備えたものであり、
上記シャッタスピード算出手段により所定以上に速いシャッタスピードが算出されたか否かに応じて、それぞれ、上記表示画面のバックライトを点灯あるいは消灯することを特徴とする。
【００３１】
本発明の第５のバックライト点灯制御方法は、所定未満の速さのシャッタスピードが算出される場合はバックライトを消灯した状態に制御する方法であるため、消費電力を低減することができる。一方、所定以上に速いシャッタスピードが算出された場合は被写界輝度は明るいため、バックライトを点灯するように制御する。このように制御する方法であるため、消費電力を十分に低減することができる。また、本発明の第５のバックライト点灯制御方法では、所定未満の速さのシャッタスピードで撮影が行なわれる場合はバックライトは消灯した状態にあるため、手ぶれが発生し易いことをユーザに分からせるという効果もある。
【００３２】
また、上記目的を達成する本発明のバックライト点灯制御方法のうちの第６のバックライト点灯制御方法は、被写体の結像を受けて画像信号を生成する撮像素子と、画像信号に基づく画像を表示する、バックライト付きの表示画面とを備えた撮影装置におけるバックライト点灯制御方法であって、
当該撮影装置が、押下により撮影を指示するレリーズボタンとこのレリーズボタンに指が触れたことが検出されたことを検出するタッチセンサとを備え、このタッチセンサによりこのレリーズボタンに指が触れたこと、
当該撮影装置が、当該撮影装置が静止しているか否かを検出する角速度センサを備え、この角速度センサにより当該撮影装置が静止していることが検出されたこと、
当該撮影装置が、上記撮像素子で得られた画像信号に基づいて被写体中の顔を検出する顔検出手段を備え、この顔検出手段により顔が検出されたこと、
当該撮影装置が、被写体の明るさに相関のある量を算出する明るさ算出手段を備え、この明るさ算出手段により被写体が所定以上の明るさを有する量が算出されたこと、
当該撮影装置が、撮影を行なう際のシャッタスピードを算出するシャッタスピード算出手段を備え、このシャッタスピード算出手段により所定以上に速いシャッタスピードが算出されたこと、
の各条件の中から複数の条件を選択したときのこれら複数の条件のうちのいずれか１つの条件を満足したときに上記表示画面のバックライトを点灯し、これら複数の条件のうちのいずれの１つも満足しないときにそのバックライトを消灯することを特徴とする。
【００３３】
本発明の第６のバックライト点灯制御方法は、例えば撮影装置が静止している条件と顔が検出された条件との２つの条件を選択した場合、２つの条件のうちのいずれの１つも満足しないときにはバックライトを消灯した状態に制御する方法である。このため、消費電力を十分に低減することができる。一方、上記２つの条件のうちいずれか１つの条件を満足したときにはバックライトを点灯するように制御する。これにより、当該撮影装置が静止している場合は表示画面上に風景等のスルー画像を表示させたり、顔が検出された場合は表示画面上に顔を表わす画像を表示させることができる。
【発明の効果】
【００３４】
本発明によれば、消費電力を十分に低減することができる撮影装置およびバックライト点灯制御方法を提供することができる。
【発明を実施するための最良の形態】
【００３５】
以下、本発明の実施の形態について説明する。
【００３６】
図１は、本発明の撮影装置の第１実施形態であるデジタルカメラを斜め右上から見た斜視図、図２は、図１に示すデジタルカメラを上方から見た上面図、図３は、図１に示すデジタルカメラを背面から見た背面図である。
【００３７】
このデジタルカメラ１は、撮像素子の１つであるＣＣＤ撮像素子（以下、ＣＣＤと記述する）上に被写体を結像して画像信号を生成する撮影装置である。尚、このデジタルカメラ１には、本発明のバックライト点灯制御方法の第１実施形態が適用されている。このデジタルカメラ１は、図１に示すようにカメラボディ１ａの中央にレンズ鏡胴１０が配備されている。また、このカメラボディ１ａの上面にはパワーボタン１１が配備されており、このパワーボタン１１が操作されたら、図１，図２に示すようにレンズ鏡胴１０が繰出されて撮影準備が整えられるようになっている。
【００３８】
さらに、カメラボディ１ａの上面には、電源投入用のパワーボタン１１のほか、詳細は後述するレリーズボタン１２、およびそのレリーズボタン１２の廻りに撮影モードダイヤル１２＿１が配備されており、この撮影モードダイヤル１２＿１がＡＵＴＯ（図２参照）に切り替えられているときにレリーズボタン１２が押されて撮影が行なわれるときにはデジタルカメラ１の内部に自動的に撮影条件が設定されて撮影が行なわれる。また、この撮影モードダイヤル１２＿１がマニュアル（符号Ｍ）に切り替えられると、マニュアル撮影が行なわれるようになり、さらに動画撮影モードに切り替えられると、動画撮影が行なわれるようになり、シーンポジション（符号ＳＰ）側に切り替えられると、撮影シーンに応じた撮影条件がデジタルカメラ１内部に自動的に設定されて撮影が行なわれるようになる。
【００３９】
また、図３に示すように、カメラボディ１ａの背面側には、液晶モニタ１３が設けられている。液晶モニタ１３は、本発明にいう表示画面の一例に相当し、この液晶モニタ１３にはＣＣＤからの画像信号に基づく画像が表示される。また、この液晶モニタ１３には、後述するバックライトが配備されている。この液晶モニタ１３には、撮影モード時には、スルー画像が表示されたり、メニューが表示されたりする。この撮影モードにあるときに液晶モニタ１３の脇にある再生ボタン１４が一度押されると、再生モードに切り替わり既撮影画像が液晶モニタ１３に表示され、この再生ボタン１４が再度押されると、撮影モードに切り替わりスルー画像が液晶モニタ１３に表示される。また、再生モードボタン１４の横には、Ｆ（フォトモード）ボタン１５が配備されており、よく用いられるモード、例えばピクセル設定モードや感度設定モードなどの切り替えがこのＦボタン１５の操作により簡単に行なえるようにもなっている。
【００４０】
また、そのＦボタン１５の下方には十字キー１６やＯＫ／メニューボタン１７が配備され上方にはズームスイッチ１８が配備されている。これら十字キー１６やＯＫ／メニューボタン１７の操作により、セットアップメニューに切り替えて日時の設定や画像表示を行なうか否かの設定等を行なったり、撮影メニューに切り替えて連写，セルフタイマ等を選択したりすることができる。
【００４１】
さらに、十字キー１６の下方には、液晶モニタ１３の表示を切り換えたり操作を途中でやめるときなどに使用されるＤＳＰ／ＢＡＣＫボタン１９が配備されている。
【００４２】
また、図１に示すカメラボディ１ａの前面の右上には、キセノン管を備え、フラッシュ撮影時にはこのキセノン管から被写体に向けてフラッシュ光を発光するフラッシュ発光部２０が配備されている。さらに、フラッシュ発光部２０の下部には、測光センサ２１も配備されている。
【００４３】
図４は、図１に示すデジタルカメラの内部構成を示す図である。
【００４４】
このデジタルカメラ１には、図１に示すレンズ鏡胴１０に備えられた撮影光学系を構成するズームレンズ１０＿１ａ，アイリス１０＿１ｂ，フォーカスレンズ１０＿１ｃと、それらズームレンズ１０＿１ａ，アイリス１０＿１ｂ，フォーカスレンズ１０＿１ｃを駆動することによりズーミング，露光量調整，フォーカシングを行なうためのモータドライバ１１１，１１２，１１３が備えられている。
【００４５】
また、このデジタルカメラ１には、ＣＣＤ１１４と、タイミングジェネレータ１１５と、ＣＰＵ１１６とが備えられている。
【００４６】
ＣＣＤ１１４は、ズームレンズ１０＿１ａ，アイリス１０＿１ｂ，フォーカスレンズ１０＿１ｃを経由してきた被写体光を捉える固体撮像素子である。このＣＣＤ１１４には、入射された被写体光を電気信号である画像信号に変換するフォトダイオード等の光電変換素子が多数個備えられている。
【００４７】
タイミングジェネレータ１１５は、ＣＰＵ１１６からの指示により所定のタイミングでＣＣＤ１１４を駆動する。これにより、ＣＣＤ１１４に入射されている被写体光が所定のフレームレートで光電変換され、そのＣＣＤ１１４からアナログ画像信号として出力される。
【００４８】
ＣＰＵ１１６は、このデジタルカメラ１全体の制御を行なう。具体的には、ＣＰＵ１１６にはＲＯＭが内蔵されており、その内蔵されたＲＯＭのプログラムの手順にしたがってデジタルカメラ１全体の動作が制御される。
【００４９】
さらに、デジタルカメラ１には、ＣＣＤ１１４から出力されたアナログ画像信号の雑音を低減する処理等を行なうＣＤＳＡＭＰ１１７と、その処理等が施されたアナログ画像信号をデジタル画像信号にアナログ／デジタル変換するＡ／Ｄ変換部１１８と、Ａ／Ｄ変換部１１８でデジタル画像信号に変換されたＲＧＢからなる画像データをデータバスを介して、メモリであるＳＤＲＡＭ１２５に転送する画像入力コントローラ１１９とが備えられている。
【００５０】
また、デジタルカメラ１には、ＳＤＲＡＭ１２５の画像データを読み出させ、ＹＣ信号への変換を行なう画像処理プロセスを実行する画像信号処理回路１２０と、画像処理プロセスが終了した時点でＪＰＥＧプロセスを実行して画像データの圧縮を行なう圧縮処理回路１２１と、画像データをビデオ信号に変換して前述した液晶モニタ１３に導くためのビデオエンコーダ１２２とが備えられている。
【００５１】
さらに、デジタルカメラ１には、画像のピント情報を検出するＡＦ検出回路１２３と、画像の輝度情報と白色バランス情報を検出するＡＥ＆ＡＷＢ検出部１２４と、作業領域用のメモリとして使用される前述したＳＤＲＡＭ１２５と、Ａ領域，Ｂ領域を有する表示用のバッファとしてのＶＲＡＭ１２６と、画像データを記録メディア１００に記憶するための制御を行なうメディアコントローラ１２７とが備えられている。
【００５２】
また、この図３には、前述した液晶モニタ１３が示されている。この液晶モニタ１３には、照明光を発光するバックライト１３ａが配備されている。
【００５３】
さらに、デジタルカメラ１には、点灯制御手段１３０が備えられている。また、図３に示すレリーズボタン１２には、後述するタッチセンサが組み込まれている。点灯制御手段１３０は、このタッチセンサによりレリーズボタン１２に指が触れたか否かに応じて、それぞれ、上記バックライト１３ａを点灯あるいは消灯する。
【００５４】
また、この図３には、前述したパワーボタン１１，撮影モードダイヤル１２＿１，再生ボタン１４，Ｆボタン１５，十字キー１６，ＯＫ／メニューボタン１７，ズームスイッチ１８，ＤＳＰ／ＢＡＣＫボタン２１からなる操作子群１０＿１００、および前述したフラッシュ発光部３０が示されている。
【００５５】
ここで、デジタルカメラ１の動作について簡単に説明する。このデジタルカメラ１の動作は統括的にＣＰＵ１１６により制御される。このＣＰＵ１１６内にはＲＯＭが内蔵されており、その内蔵されたＲＯＭ内にプログラムが格納されている。このプログラムの手順にしたがってデジタルカメラ１全体の動作がＣＰＵ１１６により制御される。また、ＳＤＲＡＭ１２５にはＲＯＭに記述されているプログラムの手順にしたがってＣＰＵ１１６がこのデジタルカメラ１全体を制御しているときに、処理中の画像データが一時的に格納されたりする。
【００５６】
また、表示用のバッファとしてのＶＲＡＭ１２６にはスルー画像を表わす画像データがＡ領域、Ｂ領域に順次記憶され、それらの領域にある画像データが交互にビデオエンコーダ１２２に供給され画像データに基づく画像が順次切り換えられてスルー画像として液晶モニタ１３に表示される。
【００５７】
次に、このデジタルカメラ１の画像データの流れについて簡単に説明する。ＣＰＵ１１６は撮影光学系を経由した被写体光をＣＣＤ１１４で捉え、そのＣＣＤ１１４で生成される画像データを所定の間隔ごとにＣＤＳＡＭＰ１１７側へ出力させ、Ａ／Ｄ変換部１１８，画像入力コントローラ１１９，画像信号処理回路１２０で表示可能な画像データに変換してスルー画像を液晶モニタ１３に表示させる。また、ＡＦ検出回路１２３が絶えずフォーカスレンズ１０＿１ｃを光軸方向に対して前後させ合焦点検出を行なって、焦点のあった画像をＣＣＤ１１４に結像させる。このときにはＡＥ＆ＡＷＢ検出回路１２４によって被写界輝度が検出され、その検出結果に基づいてモータドライバ１１２により小絞、あるいは開放絞りが設定されたり、ホワイトバランス調整のため、Ｒ、Ｇ、Ｂの各色信号のゲインが調整されたりする。このように被写界輝度に応じて露出が調節され焦点のあった画像を表わす画像データを、タイミングジェネレータ１１５からのタイミング信号に応じて所定の間隔ごとにＣＤＳＡＭＰ１１７へ出力させ、後段でスルー画像を得ている。ユーザは、このスルー画像が表わす被写体の大きさやバランスを見ながら所望の構図を決定してレリーズ操作を行なう。レリーズ操作の詳細については後述するが、このレリーズ操作が行なわれると、ＣＰＵ１１６は、ＣＣＤ１１４にレリーズ操作時の画像を結像させるため、タイミングジェネレータ１１５からタイミング信号を供給させる。このタイミング信号はＣＣＤ１１４に露光開始および露光終了を告げるものでありいわゆるシャッタスピードに相当する。ＣＰＵ１１６はこの露光終了時にＣＣＤ１１４から画像データ（ＲＧＢの光の３原色Ｒ，Ｇ、Ｂからなる画像データ）を出力させ、後段のＣＤＳＡＭＰ１１７に供給させる。さらに、ＣＤＳＡＭＰ１１７でそのＣＣＤ１１４から出力された画像データの雑音が低減され、その雑音が低減された画像データがＡ／Ｄ変換部１１８でデジタル信号に変換される。このＡ／Ｄ変換部１１８でデジタル信号に変換されたＲＧＢからなる画像データは、後段の画像入力コントローラ１１９によりデータバスを介してＳＤＲＡＭ１２５に供給され、このＳＤＲＡＭ１２５にＣＣＤ１１４のすべての画素の画像データが記憶される。すべての画素データに対応する画像データがＳＤＲＡＭ１２５に記憶されると、ＣＰＵ１１６が画像信号処理回路１２０の画像処理プロセスを起動させ、その画像処理プロセスによってＳＤＲＡＭ１２５の画像データを読み出させ、ＹＣ信号への変換を行なわせる。さらに、この画像信号処理回路１２０の画像処理プロセスが終了したことをＣＰＵ１１６が検知すると、ＣＰＵ１１６は圧縮処理回路１２１のＪＰＥＧプロセスを起動させ、ＪＰＥＧプロセスによって画像データの圧縮を行なわせる。この圧縮処理回路１２１での圧縮が完了したことをＣＰＵ１１６が検知すると、ＣＰＵ１１６は次に記録処理プロセスを起動させ、ＪＰＥＧ圧縮された画像データを、メディアコントローラ１２７を介して記録メディア１００に記録させる。以上が撮影データの流れである。
【００５８】
図５は、図４に示すレリーズボタンの、押下されていない時の状態を示す断面構造図、図６は、図４に示すレリーズボタンの、押下の初期の状態を示す断面構造図である。また、図７は、図４に示すレリーズボタンの、押下がさらに進められた状態（半押し状態）を示す断面構造図、図８は、図４に示すレリーズボタンの全押し状態を示す断面構造図である。
【００５９】
図５に示すレリーズボタン１２は、図５の状態から図８の状態になるまでの、所定の押下ストロークを有し、押下を、押下の初期（図６）と半押し状態（図７）と全押し状態（図８）との３ヶ所で検出するとともに、半押し状態（図７）と全押し状態（図８）との２段にクリック感を与えるものである。以下、図５を参照してレリーズボタン１２の構造について説明する。
【００６０】
図５に示すようにレリーズボタン１２の押下受け部１２＿１１がカメラボディ１ａに穿設された孔１ａ＿１に嵌挿されている。このレリーズボタン１２の押下受け部１２＿１１をデジタルカメラ１のカメラボディ１ａに取り付けるにあたっては、レリーズボタン１２を取り付け易いようにカメラボディ１ａの内側の、レリーズボタン１２を配設する部分にカメラボディ１ａの内壁に固定された内パネル１ｂを設けておいて、その内パネル１ｂとカメラボディ１ａの内壁とで押下受け部１２＿１１を挟み込むようにしてレリーズボタン１２を取り付けるようにしている。ここでは、押下受け部１２＿１１の鍔部１２＿１Ａをカメラボディ１ａの内壁に押し付けるようにバネ１２＿３で付勢して押下受け部１２＿１１をカメラボディ１ａにうまく取り付けている。
【００６１】
この付勢用のバネ１２＿３のバネ定数を適当に選択することで押下受け部１２＿１１を指で押すときの操作荷重が定められる。また、押下受け部１２＿１１から下方に延びるようにして設けられている押圧軸部１２＿２にそのバネ１２＿３を巻回しておいて常時安定した操作荷重で押下受け部１２＿１１を押すことができるようにもしてある。
【００６２】
また、押下受け部１２＿１１が押下されたときに押下受け部１２＿１１とともに押圧軸部１２＿２が下降してその先端がＣＰＵ１１６等が実装されている制御基板２００に達するように内パネル１ｂにも孔１ｂ＿１が設けられている。また、その押圧軸部１２＿２の先端部と制御基板２００との間には、弓状の弾性体１２＿５，１２＿６が２つ設けられており、これらの弾性体１２＿５，１２＿６によって２段にクリック感が与えられるようになっている。
【００６３】
また、内パネル１ｂの、制御基板２００側の面には、導電部１２＿７が添設されその導電部１２＿７と制御基板２００に形成されているグランドパターンとが線材１２＿７１により接続されている。その導電部１２＿７に接するようにして可動接触片１２＿８が配設されている。この可動接触片１２＿８は、押下受け部１２＿１１から下方に向けて延設されている押圧軸部１２＿２が上下動する方向を横切るようにして配設されており、一方の端部側がその導電部１２＿７に接触するようにして配設されその反対の側の端部が制御基板２００に設けられている固定部２０１に固定されている。その可動接触片１２＿８の一方の端部側から反対の端部側にも導電部（不図示）が形成されており、その導電部と制御基板２００に形成されているグランドパターンとが線材１２＿８１により接続されている。
【００６４】
また、可動接触片１２＿８には、その一部に凸部１２＿８２が設けられており、その凸部１２＿８２が弾性体１２＿５により図中上側に付勢されるようにして配設されているため、押下操作部１２＿１が操作されない状態においては可動接触片１２＿８と導電部１２＿７との接触が確実に保たれるようになっている。
【００６５】
このような構成にすることで、押下受け部１２＿１１が押下されない状態においては、可動接触片１２＿８と導電部１２＿７との接触が保たれて押下受け部１２＿１１が押下され始めたらすぐに接触片１２＿８の端部が導電部１２＿７から離れて開放状態になる電気接点を備えたセンサ（本発明にいうタッチセンサの一例）を具備したレリーズボタン１２が構成される。換言すれば、レリーズボタン１２に指が触れたことを検出する電気的接点を備えたタッチセンサが実現される。ＣＰＵ１１６は、このタッチセンサによりレリーズボタン１２に指が触れたことを示す情報を点灯制御手段１３０に送る。点灯制御部１３０は、この情報を受けて、液晶モニタ１３に配備されたバックライト１３ａを点灯させる。
【００６６】
即ち、押下操作が開始された後、弾性体１２＿５によりクリック感が与えられる前に図５に示す状態から図６に示す状態になって可動接触片１２＿８と導電部１２＿７との接触が解かれて開放状態になり、ＣＰＵ１１６によって押下操作されたことが検知される。その後、押下受け部１２＿１１の押下が進められていくと図７に示すように弾性体部１２＿５によって１段目のクリック感が与えられて半押し状態になる。この時点で、ＣＰＵ１１６は、ＡＦ検出回路１２３に指示してピント設定を行なわせるとともに、ＡＥ＆ＡＷＢ検出回路１２４に指示して露出設定を行なわさせる。
【００６７】
さらに１段目のクリック感が与えられた後、押下が進められていくと、図８に示すように弾性部材１２＿６によって２段目のクリック感が与えられる。このときに弾性部材１２＿６の、制御基板２００側の面に形成されている導電部（不図示）が、制御基板２００上の２本パターンに跨って接して開放状態にあった分離パターン２０１を短絡状態に変えることにより、全押しされたことがＣＰＵ１１６により検知されるようになる。このようになると、ＣＰＵ１１６は、タイミングジェネレータ１１５を制御してタイミングジェネレータ１１５にＣＣＤ１１４に向けて露光開始信号および露光終了信号を供給させて全押し時の被写体をＣＣＤ１１４に結像させるとともに露光終了時にＡ／Ｄ変換部１１８へと全押し時の被写体を表わす画像信号を出力させる。
【００６８】
このデジタルカメラ１を使用して撮影を行なう場合、ユーザは撮影を行なおうとする時点で液晶モニタ１３に表示されている画像を見る場合が多く、撮影終了に画像を見続けるような場合は少ない。従って、撮影にあたり画像を見る時間は僅かである場合が多い。そこで、第１実施形態であるデジタルカメラ１は、レリーズボタン１２に組み込まれたタッチセンサによりレリーズボタン１２に指が触れていないことが検出された場合は、液晶モニタ１３のバックライト１３ａを消灯した状態に制御する。このように制御することにより、消費電力を低減することができる。一方、タッチセンサによりレリーズボタン１２に指が触れたことが検出された場合は、ユーザが撮影状態に入っている可能性が高いため、バックライト１３ａを点灯するように制御する。このようにすることにより、上述した特許文献１に提案された、所定時間が経過するまでの間は液晶モニタに電力が供給され続けたり、あるいは撮影が行なわれていない場合であってもカメラのグリップ部を握っている状態では液晶モニタに電力が供給されてしまう技術と比較し、消費電力を十分に低減することができる。
【００６９】
図９は、第１実施形態のデジタルカメラに適用されるバックライト点灯制御方法の手順を示す図である。
【００７０】
先ず、ステップＳ１において、タッチセンサの状態を検出する。次いでステップＳ２において、レリーズボタン１２に指が触れているか否かが判定される。レリーズボタン１２に指が触れていると判定された場合はステップＳ３に進む。ステップＳ３では、バックライト１３ａを点灯してこの手順を終了する。一方、レリーズボタン１２に指が触れていないと判定された場合はステップＳ４に進む。ステップＳ４では、バックライト１３ａを消灯してこの手順を終了する。
【００７１】
図１０は、本発明の撮影装置の第２実施形態であるデジタルカメラの内部構成を示す図である。
【００７２】
尚、第２実施形態のデジタルカメラの外観図は、第１実施形態のデジタルカメラ１の外観図と同じであるため、図示省略する。
【００７３】
図１０に示す第２実施形態のデジタルカメラ２は、第１実施形態のデジタルカメラ１と比較し、図５〜図８を参照して説明した電気的接点を備えたタッチセンサを具備したレリーズボタン１２に代えて、１段目のクリック感が与えられて半押し状態を検出する電気的接点および２段目のクリック感が与えられて全押し状態を検出する電気的接点からなる、いわゆる通常の２段のスイッチ構成を採用したレリーズボタン２１２が備えられている。
【００７４】
また、デジタルカメラ２には、このデジタルカメラ２が静止しているか否かを検出する角速度センサ２１１と、この角速度センサ２１１によりこのデジタルカメラ２が静止していることが検出されたか否かに応じて、それぞれ、バックライト１３ａを点灯あるいは消灯する点灯制御手段２３０が備えられている。
【００７５】
ユーザはデジタルカメラ２を静止した状態にして撮影を行なう場合が多い。第２実施形態であるデジタルカメラ２は、角速度センサ２１１によりデジタルカメラ２が静止していないことが検出された場合はバックライト１３ａを消灯した状態に制御するため、消費電力を低減することができる。一方、角速度センサ２１１によりデジタルカメラ２が静止していることが検出された場合は、ユーザが撮影状態に入っている可能性が高いため、バックライト１３ａを点灯するように制御する。このように制御することにより、消費電力を十分に低減することができる。
【００７６】
図１１は、図１０に示すデジタルカメラに適用されるバックライト点灯制御方法の手順を示す図である。
【００７７】
先ず、ステップＳ１１において、角速度センサ２１１の状態を検出する。次いでステップＳ１２において、ユーザが静止しているか否か（デジタルカメラ２が静止しているか否か）が判定される。ユーザが静止していると判定された場合はステップＳ１３に進む。ステップＳ１３では、バックライト１３ａを点灯してこの手順を終了する。一方、ユーザが静止していないと判定された場合はステップＳ１４に進む。ステップＳ１４では、バックライト１３ａを消灯してこの手順を終了する。
【００７８】
図１２は、本発明の撮影装置の第３実施形態であるデジタルカメラの内部構成を示す図である。
【００７９】
尚、第３実施形態のデジタルカメラの外観図も、第１実施形態のデジタルカメラ１の外観図と同じであるため、図示省略する。
【００８０】
図１２に示す第３実施形態のデジタルカメラ３には、ＣＣＤ１１４で得られた画像信号に基づいて被写体中の顔を検出する顔検出手段３１１と、この顔検出手段３１１により顔が検出されたか否かに応じて、それぞれ、液晶モニタ１３のバックライト１３ａを点灯あるいは消灯する点灯制御手段３３０が備えられている。
【００８１】
デジタルカメラ３で被写体の撮影を行なうにあたり、被写体中の顔が検出された場合はユーザが撮影状態に入っている可能性が高い。第３実施形態であるデジタルカメラ３は、顔検出手段３１１で顔が検出されない場合はバックライト１３ａを消灯した状態に制御するため、消費電力を低減することができる。一方、顔が検出された場合は、ユーザが撮影状態に入っている可能性が高いため、バックライト１３ａを点灯するように制御する。このように制御することにより、消費電力を十分に低減することができる。
【００８２】
図１３は、図１２に示すデジタルカメラに適用されるバックライト点灯制御方法の手順を示す図である。
【００８３】
先ず、ステップＳ２１において、顔検出を実行する。次いでステップＳ２２において、顔が検出されたか否かが判定される。顔が検出されたと判定された場合はステップＳ２３に進む。ステップＳ２３では、バックライト１３ａを点灯してこの手順を終了する。一方、顔が検出されていないと判定された場合はステップＳ２４に進む。ステップＳ２４では、バックライト１３ａを消灯してこの手順を終了する。
【００８４】
図１４は、本発明の撮影装置の第４実施形態であるデジタルカメラの内部構成を示す図である。
【００８５】
尚、第４実施形態のデジタルカメラの外観図も、第１実施形態のデジタルカメラ１の外観図と同じであるため、図示省略する。
【００８６】
図１４に示す第４実施形態のデジタルカメラ４には、被写体の明るさに相関のある量を算出する明るさ算出手段４１１と、この明るさ算出手段４１１により被写体が所定以上の明るさを有する量が算出されたか否かに応じて、それぞれ、液晶モニタ１３のバックライト１３ａを点灯あるいは消灯する点灯制御手段４３０が備えられている。ここで、明るさ算出手段４１１により算出される所定以上の明るさを有する量は、Ｒ，Ｇ，Ｂの画素を積算することにより算出される。尚、これらＲ，Ｇ，Ｂの画素の他に、輝度や色差を積算することにより、所定以上の明るさを有する量を算出してもよい。
【００８７】
撮影を行なっていない場合は、被写体として意味を成さない明るさの量（所定未満の明るさを有する量）である場合が多い。一方、被写体が所定以上の明るさを有する量である場合は、ユーザが撮影状態に入っている可能性が高い。第４実施形態であるデジタルカメラ４は、被写体が所定未満の明るさを有する量である場合はバックライト１３ａを消灯した状態に制御するため、消費電力を低減することができる。一方、被写体が所定以上の明るさを有する量である場合は撮影状態に入っている可能性が高いため、バックライト１３ａを点灯するように制御する。このように制御することにより、消費電力を十分に低減することができる。
【００８８】
図１５は、図１４に示すデジタルカメラに適用されるバックライト点灯制御方法の手順を示す図である。
【００８９】
先ず、ステップＳ３１において、明るさを算出する。次いでステップＳ３２において、明るさが所定値以上か否かが判定される。明るさが所定値以上であると判定された場合はステップＳ３３に進む。ステップＳ３３では、バックライト１３ａを点灯してこの手順を終了する。一方、明るさが所定値未満であると判定された場合はステップＳ３４に進む。ステップＳ３４では、バックライト１３ａを消灯してこの手順を終了する。
【００９０】
図１６は、本発明の撮影装置の第５実施形態であるデジタルカメラの内部構成を示す図である。
【００９１】
尚、第５実施形態のデジタルカメラの外観図も、第１実施形態のデジタルカメラ１の外観図と同じであるため、図示省略する。
【００９２】
図１６に示す第５実施形態のデジタルカメラ５には、撮影を行なう際のシャッタスピードを算出するシャッタスピード算出手段５１１と、このシャッタスピード算出手段５１１により所定以上に速いシャッタスピードが算出されたか否かに応じて、それぞれ、液晶モニタ１３のバックライト１３ａを点灯あるいは消灯する点灯制御手段５３０が備えられている。
【００９３】
被写界輝度が暗い場合は、バックライト１３ａを点灯しても液晶モニタ１３に表示されるスルー画像を視認することは困難である。このような場合は、所定未満の速さのシャッタスピードが算出される。第５実施形態であるデジタルカメラ５は、所定未満の速さのシャッタスピードが算出される場合はバックライト１３ａを消灯した状態に制御するため、消費電力を低減することができる。一方、所定以上に速いシャッタスピードが算出された場合は被写界輝度は明るいため、バックライト１３ａを点灯するように制御する。このように制御することにより、消費電力を十分に低減することができる。また、このデジタルカメラ５では、所定未満の速さのシャッタスピードで撮影が行なわれる場合はバックライト１３ａは消灯した状態にあるため、手ぶれが発生し易いことをユーザに分からせるという効果もある。
【００９４】
図１７は、図１６に示すデジタルカメラに適用されるバックライト点灯制御方法の手順を示す図である。
【００９５】
先ず、ステップＳ４１において、シャッタスピードを計算する。次いでステップＳ４２において、シャッタスピードが所定値以上か否かが判定される。シャッタスピードが所定値以上であると判定された場合はステップＳ４３に進む。ステップＳ４３では、バックライト１３ａを点灯してこの手順を終了する。一方、シャッタスピードが所定値未満であると判定された場合はステップＳ４４に進む。ステップＳ４４では、バックライト１３ａを消灯してこの手順を終了する。
【００９６】
図１８は、本発明の撮影装置の第６実施形態であるデジタルカメラの内部構成を示す図である。
【００９７】
尚、第６実施形態のデジタルカメラの外観図も、第１実施形態のデジタルカメラ１の外観図と同じであるため、図示省略する。
【００９８】
図１８に示す第５実施形態のデジタルカメラ６には、前述した角速度センサ２１１と顔検出手段３１１、および角度センサ２１１によりデジタルカメラ６が静止していることが検出されたことと顔検出手段３１１により顔が検出されたことの２つの条件のうちのいずれか１つの条件を満足した時にバックライト１３ａを点灯し、いずれの１つも満足しないときにバックライト１３ａを消灯する点灯制御手段６３０が備えられている。
【００９９】
第６実施形態であるデジタルカメラ６は、このように構成されているため、このデジタルカメラ６が静止している条件と顔が検出された条件との２つの条件のうちのいずれの１つも満足しないときにはバックライト１３ａを消灯した状態に制御する。このため、消費電力を十分に低減することができる。一方、上記２つの条件のうちいずれか１つの条件を満足したときにはバックライト１３ａを点灯するように制御する。これにより、デジタルカメラ６が静止している場合は液晶モニタ１３に風景等のスルー画像を表示させたり、顔が検出された場合は液晶モニタ１３に顔を表わす画像を表示させることができる。
【０１００】
図１９は、図１８に示すデジタルカメラに適用されるバックライト点灯制御方法の手順を示す図である。
【０１０１】
先ず、ステップＳ５１において、顔検出を実行する。次いでステップＳ５２において、顔が検出されたか否かが判定される。顔が検出されたと判定された場合はステップＳ５３に進む。ステップＳ５３では、バックライト１３ａを点灯してこの手順を終了する。
【０１０２】
一方、顔が検出されていないと判定された場合はステップＳ５４に進む。ステップＳ５４では、角速度センサの状態を検出する。次いでステップＳ５５において、ユーザが静止状態か否かが判定される。ユーザが静止状態であると判定された場合は、前述したステップＳ５３に進んでバックライト１３ａを点灯してこの手順を終了する。一方、ユーザが静止状態にないと判定された場合はステップＳ５６に進む。ステップＳ５６では、バックライト１３ａを消灯してこの手順を終了する。
【０１０３】
尚、第６実施形態では、デジタルカメラ６が静止している条件と顔が検出された条件との２つの条件のうちのいずれの１つも満足しないときにはバックライト１３ａを消灯し、上記２つの条件のうちいずれか１つの条件を満足したときにはバックライト１３ａを点灯する例で説明したが、これに限られるものではなく、本発明は、レリーズボタンに指が触れたこと、当該撮影装置が静止していること、顔が検出されたこと、被写体が所定以上の明るさを有する量が算出されたこと、および所定以上に速いシャッタスピードが算出されたことの各条件の中から複数の条件を選択したときのそれら複数の条件のうちのいずれの１つも満足しないときにバックライトを消灯し、それら複数の条件のうちのいずれか１つの条件を満足したときにバックライトを点灯するものであればよい。
【０１０４】
尚、上述した各実施形態では、本発明にいう撮像素子として、ＣＣＤの例で説明したが、これに限られるものではなく、本発明にいう撮像素子は、ＣＭＯＳセンサや有機半導体であってもよい。
【０１０５】
また、上述した各実施形態では、本発明にいう撮影装置として、デジタルカメラの例で説明したが、これに限られるものではなく、本発明にいう撮影装置は、携帯電話に搭載されるカメラやビデオカメラ等であってもよい。
【図面の簡単な説明】
【０１０６】
【図１】本発明の撮影装置の第１実施形態であるデジタルカメラを斜め右上から見た斜視図である。
【図２】図１に示すデジタルカメラを上方から見た上面図である。
【図３】図１に示すデジタルカメラを背面から見た背面図である。
【図４】図１に示すデジタルカメラの内部構成を示す図である。
【図５】図４に示すレリーズボタンの、押下されていない時の状態を示す断面構造図である。
【図６】図４に示すレリーズボタンの、押下の初期の状態を示す断面構造図である。
【図７】図４に示すレリーズボタンの、押下がさらに進められた状態（半押し状態）を示す断面構造図である。
【図８】図４に示すレリーズボタンの全押し状態を示す断面構造図である。
【図９】第１実施形態のデジタルカメラに適用されるバックライト点灯制御方法の手順を示す図である。
【図１０】本発明の撮影装置の第２実施形態であるデジタルカメラの内部構成を示す図である。
【図１１】図１０に示すデジタルカメラに適用されるバックライト点灯制御方法の手順を示す図である。
【図１２】本発明の撮影装置の第３実施形態であるデジタルカメラの内部構成を示す図である。
【図１３】図１２に示すデジタルカメラに適用されるバックライト点灯制御方法の手順を示す図である。
【図１４】本発明の撮影装置の第４実施形態であるデジタルカメラの内部構成を示す図である。
【図１５】図１４に示すデジタルカメラに適用されるバックライト点灯制御方法の手順を示す図である。
【図１６】本発明の撮影装置の第５実施形態であるデジタルカメラの内部構成を示す図である。
【図１７】図１６に示すデジタルカメラに適用されるバックライト点灯制御方法の手順を示す図である。
【図１８】本発明の撮影装置の第６実施形態であるデジタルカメラの内部構成を示す図である。
【図１９】図１８に示すデジタルカメラに適用されるバックライト点灯制御方法の手順を示す図である。
【符号の説明】
【０１０７】
１，２，３，４，５，６  デジタルカメラ
１ａ  カメラボディ
１ａ＿１，１ｂ＿１  孔
１ｂ  内パネル
１０  レンズ鏡胴
１０＿１ａ  ズームレンズ
１０＿１ｂ  アイリス
１０＿１ｃ  フォーカスレンズ
１０＿１００  操作子群
１１  パワーボタン
１２，２１２  レリーズボタン
１２＿１  撮影モードダイヤル
１２＿１Ａ  鍔部
１２＿２  押圧軸部
１２＿３  バネ
１２＿５，１２＿６  弾性体
１２＿７  導電部
１２＿１１  押下受け部
１２＿７１，１２＿８１  線材
１２＿８  可動接触片
１２＿８２  凸部
１３  液晶モニタ
１３ａ  バックライト
１４  再生ボタン
１５  Ｆボタン
１６  十字キー
１７  ＯＫ／メニューボタン
１８  ズームスイッチ
１９  ＤＳＰ／ＢＡＣＫボタン
２０  フラッシュ発光部
２１  測光センサ
１００  記録メディア
１１１，１１２，１１３  モータドライバ
１１４  ＣＣＤ
１１５  タイミングジェネレータ
１１６  ＣＰＵ
１１７  ＣＤＳＡＭＰ
１１８  Ａ／Ｄ変換部
１１９  画像入力コントローラ
１２０  画像信号処理回路
１２１  圧縮処理回路
１２２  ビデオエンコーダ
１２３  ＡＦ検出回路
１２４  ＡＥ＆ＡＷＢ検出回路
１２５  ＳＤＲＡＭ
１２６  ＶＲＡＭ
１２７  メディアコントローラ
１３０，２３０，３３０，４３０，５３０，６３０  点灯制御手段
２００  制御基板
２０１  固定部
２１１  角速度センサ
３１１  顔検出手段
４１１  明るさ算出手段
５１１  シャッタスピード算出手段
【図１】
2008227925.tif 000003
【図２】
2008227925.tif 000004
【図３】
2008227925.tif 000005
【図４】
2008227925.tif 000006
【図５】
2008227925.tif 000007
【図６】
2008227925.tif 000008
【図７】
2008227925.tif 000009
【図８】
2008227925.tif 000010
【図９】
2008227925.tif 000011
【図１０】
2008227925.tif 000012
【図１１】
2008227925.tif 000013
【図１２】
2008227925.tif 000014
【図１３】
2008227925.tif 000015
【図１４】
2008227925.tif 000016
【図１５】
2008227925.tif 000017
【図１６】
2008227925.tif 000018
【図１７】
2008227925.tif 000019
【図１８】
2008227925.tif 000020
【図１９】
2008227925.tif 000021